(57)【要約】【課題】画像に施される予定の所定の画像処理に応じた各種の撮像条件の調整をより簡便に行う。【解決手段】表示装置１は、撮像された画像を取得する画像取得部１０２と、画像取得部１０２により取得された画像に対して所定の画像処理を施す画像処理部１０４と、画像処理部１０４により所定の画像処理が施された画像が撮像された際の撮像条件を取得する撮像条件取得部１０５と、撮像条件取得部１０５により取得された前記撮像条件を示す情報を撮像装置２に対して出力する通信制御部１０８と、を備える。【選択図】図２
2012178751.tif 000002
【特許請求の範囲】
【請求項１】
撮像された画像を取得する画像取得手段と、
この画像取得手段により取得された画像に対して所定の画像処理を施す第１処理手段と、
この第１処理手段により前記所定の画像処理が施された画像が撮像された際の撮像条件を示す情報を取得する第１条件取得手段と、
撮像装置に対して、前記第１条件取得手段により取得された前記撮像条件を示す情報を、当該撮像装置による撮像の際に当該撮像条件を設定可能となるような情報として出力する出力手段と、
を備えることを特徴とする画像処理装置。
【請求項２】
撮像された画像を取得する画像取得手段と、
この画像取得手段により取得された画像に対して所定の画像処理を施す第１処理手段と、
この第１処理手段により前記所定の画像処理が施された画像が撮像された際の撮像条件を示す情報を取得する第１条件取得手段と、
この第１条件取得手段により取得された前記撮像条件を示す情報を、当該撮像装置による撮像の際に当該撮像条件を設定可能となるような情報として記憶する記憶手段を備えることを特徴とする画像処理装置。
【請求項３】
前記所定の画像処理は、処理内容を異ならせて複数規定され、
前記記憶手段は、更に、前記第１条件取得手段により取得された前記複数の画像処理が施される各画像が撮像された際の撮像条件を示す情報をそれぞれ記憶することを特徴とする請求項２に記載の画像処理装置。
【請求項４】
前記第１条件取得手段は、更に、
前記所定の画像処理が施される複数の画像が撮像された際の撮像条件をそれぞれ取得し、これら複数の撮像条件に基づいて、当該所定の画像処理に係る撮像条件を特定することを特徴とする請求項１〜３の何れか一項に記載の画像処理装置。
【請求項５】
前記第１条件取得手段は、更に、複数の撮像装置により撮像され前記第１処理手段により前記所定の画像処理が施される複数の画像が撮像された際の撮像条件を示す情報をそれぞれ取得し、
前記出力手段は、更に、前記第１条件取得手段により取得された前記複数の撮像条件を示す情報を各撮像装置毎にそれぞれ出力することを特徴とする請求項１又は４に記載の画像処理装置。
【請求項６】
撮像装置と、撮像された画像に対して所定の画像処理を施す画像処理装置とを備える撮像条件制御システムの撮像装置であって、
前記画像処理装置により所定の画像処理が施される画像が撮像された際の撮像条件を示す情報を取得する第２条件取得手段と、
前記撮像手段による撮像の際に、この第２条件取得手段により取得された前記撮像条件を示す情報に基づいて、前記撮像条件を設定可能となるように所定の処理を行う第２処理手段と、
を備えることを特徴とする撮像装置。
【請求項７】
前記第２処理手段は、
前記第２条件取得手段により取得された前記撮像条件を示す情報を記憶手段に記憶させる記憶制御手段を有することを特徴とする請求項６に記載の撮像装置。
【請求項８】
前記所定の画像処理は、処理内容を異ならせて複数規定され、
前記第２条件取得手段は、更に、前記複数の画像処理が施される各画像が撮像された際の撮像条件を示す情報をそれぞれ取得し、
前記第２処理手段は、更に、前記第２条件取得手段により取得された複数の前記撮像条件を示す情報に基づいて、前記複数の画像処理が施される各画像が撮像された際の撮像条件を、前記撮像手段による撮像の際に設定可能となるように前記所定の処理を各画像処理毎に行うことを特徴とする請求項６又は７に記載の撮像装置。
【請求項９】
画像処理装置と、撮像装置とを備える当該撮像装置の撮像条件制御システムであって、
前記画像処理装置は、
撮像された画像を取得する画像取得手段と、
この画像取得手段により取得された画像に対して所定の画像処理を施す第１処理手段と、
この第１処理手段により前記所定の画像処理が施された画像が撮像された際の撮像条件を示す情報を取得する第１条件取得手段と、
を備え、
前記撮像装置は、
前記第１条件取得手段によって取得された前記撮像条件を示す情報を取得する第２条件取得手段と、
この第２条件取得手段により取得された前記撮像条件を示す情報に基づいて、当該撮像条件を設定可能となるように所定の処理を行う第２処理手段と、を備えることを特徴とする撮像装置の撮像条件制御システム。
【請求項１０】
コンピュータを、
撮像された画像を取得する手段、
取得された画像に対して所定の画像処理を施す手段、
前記所定の画像処理が施された画像が撮像された際の撮像条件を示す情報を取得する手段、
撮像装置に対して、前記第１条件取得手段により取得された前記撮像条件を示す情報を、当該撮像装置による撮像の際に当該撮像条件を設定可能となるような情報として出力する手段、
として機能させることを特徴とするプログラム。
【請求項１１】
撮像装置のコンピュータを、
画像処理装置により所定の画像処理が施される画像が撮像された際の撮像条件を示す情報を取得する手段、
撮像の際に、取得された前記撮像条件を示す情報に基づいて、前記撮像条件を設定可能となるように所定の処理を行う手段、
として機能させることを特徴とするプログラム。
【発明の詳細な説明】
【技術分野】
【０００１】
本発明は、画像処理装置、撮像装置、撮像装置の撮像条件制御システム及びプログラムに関する。
【背景技術】
【０００２】
従来、画像に対して所定の画像処理を自動的に施して表示装置に表示させることが行われている（例えば、特許文献１参照）。また、近年では、撮像装置により撮像した画像に対して視覚的効果を変化させる処理を施すことも行われている（例えば、特許文献２参照）。
【先行技術文献】
【特許文献】
【０００３】
【特許文献１】特開２００４−２９５０３３号公報
【特許文献２】特開２０００−３１５１２９号公報
【発明の概要】
【発明が解決しようとする課題】
【０００４】
ところで、略等しい構図の画像であっても撮像装置の各種の撮像条件が異なると、画像処理後の画像の表示態様が変化してしまう。そこで、撮像後に所定の画像処理が施される予定の画像を撮像する際には、予め当該所定の画像処理に応じて各種の撮像条件を調整することが望ましい。
しかしながら、ユーザにとって画像処理の種類毎に各種の撮像条件を覚えておくことは困難である。このため、各種の撮像条件の調整を思い出しながら行う必要があるが、撮像条件の調整項目の数が多くなるほど、その作業に時間がかかってしまうといった問題もある。
【０００５】
本発明の課題は、画像に施される予定の所定の画像処理に応じた各種の撮像条件の調整をより簡便に行うことができる画像処理装置、撮像装置、撮像装置の撮像条件制御システム及びプログラムを提供することである。
【課題を解決するための手段】
【０００６】
上記課題を解決するため、本発明の画像処理装置は、撮像された画像を取得する画像取得手段と、この画像取得手段により取得された画像に対して所定の画像処理を施す第１処理手段と、この第１処理手段により前記所定の画像処理が施された画像が撮像された際の撮像条件を示す情報を取得する第１条件取得手段と、撮像装置に対して、前記第１条件取得手段により取得された前記撮像条件を示す情報を、当該撮像装置による撮像の際に当該撮像条件を設定可能となるような情報として出力する出力手段と、を備えることを特徴とする。
【０００７】
また、本発明の画像処理装置は、撮像された画像を取得する画像取得手段と、この画像取得手段により取得された画像に対して所定の画像処理を施す第１処理手段と、この第１処理手段により前記所定の画像処理が施された画像が撮像された際の撮像条件を示す情報を取得する第１条件取得手段と、この第１条件取得手段により取得された前記撮像条件を示す情報を、当該撮像装置による撮像の際に当該撮像条件を設定可能となるような情報として記憶する記憶手段を備えることを特徴とする。
【０００８】
また、本発明の撮像装置は、撮像装置と、撮像された画像に対して所定の画像処理を施す画像処理装置とを備える撮像条件制御システムの撮像装置であって、前記画像処理装置により所定の画像処理が施される画像が撮像された際の撮像条件を示す情報を取得する第２条件取得手段と、前記撮像手段による撮像の際に、この第２条件取得手段により取得された前記撮像条件を示す情報に基づいて、前記撮像条件を設定可能となるように所定の処理を行う第２処理手段と、を備えることを特徴とする。
【０００９】
また、本発明の撮像装置の撮像条件制御システムは、画像処理装置と、撮像装置とを備える当該撮像装置の撮像条件制御システムであって、前記画像処理装置は、撮像された画像を取得する画像取得手段と、この画像取得手段により取得された画像に対して所定の画像処理を施す第１処理手段と、この第１処理手段により前記所定の画像処理が施された画像が撮像された際の撮像条件を示す情報を取得する第１条件取得手段と、を備え、前記撮像装置は、前記第１条件取得手段によって取得された前記撮像条件を示す情報を取得する第２条件取得手段と、この第２条件取得手段により取得された前記撮像条件を示す情報に基づいて、当該撮像条件を設定可能となるように所定の処理を行う第２処理手段と、を備えることを特徴とする。
【００１０】
また、本発明のプログラムは、コンピュータを、撮像された画像を取得する手段、取得された画像に対して所定の画像処理を施す手段、前記所定の画像処理が施された画像が撮像された際の撮像条件を示す情報を取得する手段、撮像装置に対して、前記第１条件取得手段により取得された前記撮像条件を示す情報を、当該撮像装置による撮像の際に当該撮像条件を設定可能となるような情報として出力する手段、として機能させることを特徴とする。
【００１１】
また、本発明のプログラムは、撮像装置のコンピュータを、画像処理装置により所定の画像処理が施される画像が撮像された際の撮像条件を示す情報を取得する手段、撮像の際に、取得された前記撮像条件を示す情報に基づいて、前記撮像条件を設定可能となるように所定の処理を行う手段、として機能させることを特徴とする。
【発明の効果】
【００１２】
本発明によれば、画像に施される予定の所定の画像処理に応じた各種の撮像条件の調整をより簡便に行うことができる。
【図面の簡単な説明】
【００１３】
【図１】本発明を適用した一実施形態である、撮像装置の撮像条件制御システムの主要構成を示す図である。
【図２】表示装置の概略構成を示すブロック図である。
【図３】撮像装置の概略構成を示すブロック図である。
【図４】撮像装置の撮像条件制御システムによる画像表示処理の一例を示すフローチャートである。
【図５】表示装置の画像処理部による画像処理の一例を示すフローチャートである。
【図６】撮像装置の撮像条件制御システムによる撮像条件取得処理の一例を示すフローチャートである。
【図７】画像データの構成の一例を示す図である。
【図８】処理対象画像及び絵画調の画像の一例を示す図である。
【図９】撮像条件記憶部に記憶された撮像条件の構成の一例を示す図である。
【図１０】撮像装置のメニュー画面の構成の一例を示す図である。
【図１１】撮像装置の変形例の概略構成を示すブロック図である。
【発明を実施するための形態】
【００１４】
以下に、本発明について、図面を用いて具体的な態様を説明する。ただし、発明の範囲は、図示例に限定されない。
【００１５】
図１は、本発明を適用した一実施形態である、撮像装置の撮像条件制御システム１００の主要構成を示す図である。
図１に示すように、撮像装置の撮像条件制御システム１００は、例えば、表示装置１と、撮像装置２とを備え、表示装置１と撮像装置２とが所定の通信ネットワークＮを介して各種情報を送受信可能に接続されているシステムである。
【００１６】
先ず、表示装置１について図２を参照して説明する。
図２は、表示装置１の概略構成を示すブロック図である。
図２に示すように、表示装置１は、表示部１０１と、画像取得部１０２と、記憶媒体制御部１０３と、画像処理部１０４と、撮像条件取得部１０５と、撮像条件記憶部１０６と、メモリ１０７と、通信制御部１０８と、操作入力部１０９と、中央制御部１１０とを備えている。
【００１７】
表示部１０１は、表示制御部１０１ａと、表示パネル１０１ｂとを備えている。
表示制御部１０１ａは、画像を表示パネル１０１ｂに表示させる制御を行う。具体的には、表示制御部１０１ａは、記憶媒体制御部１０３に接続された記憶媒体Ｍ１に記憶されている画像データ（例えば、図８（ａ）に示す画像Ｐ１）等を読み出し、読み出された画像データの内容に応じたビデオ信号を発生して表示パネル１０１ｂに対して出力する。また、表示制御部１０１ａは、画像処理部１０４により画像処理が施された画像（例えば、図８（ｂ）〜（ｄ）に示す絵画調の画像Ｐ２〜Ｐ４）の内容に応じたビデオ信号を発生して表示パネル１０１ｂに対して出力する。
【００１８】
表示パネル１０１ｂは、例えば、液晶表示装置であり、表示制御部１０１ａからのビデオ信号に基づいて所定の画像を表示画面に表示する。具体的には、表示パネル１０１ｂは、記憶媒体Ｍ１に記憶されている複数の画像データの中でユーザによる操作入力部１０９の所定操作に基づいて指示された画像や、画像処理部１０４により画像処理が施された画像等を表示する。
【００１９】
画像取得部１０２は、画像処理部１０４による画像処理の対象となる画像データを取得する。具体的には、画像取得部１０２は、撮像装置２から通信ネットワークＮを介して送信され、通信制御部１０８により受信された画像データを処理対象の画像として取得する。また、画像取得部１０２は、記憶媒体Ｍ１に記憶された画像データの中で、ユーザによる操作入力部１０９の所定操作に基づいて指定された画像データを処理対象の画像として取得する。
【００２０】
記憶媒体制御部１０３は、記憶媒体Ｍ１が着脱自在に構成され、装着された記憶媒体Ｍ１からのデータの読み出しや記憶媒体Ｍ１に対するデータの書き込みを制御する。
即ち、記憶媒体制御部１０３は、例えば、撮像装置２から通信ネットワークＮ及び通信制御部１０８を介して取得された画像データ等を記憶媒体Ｍ１に記憶させる。
なお、記憶媒体Ｍ１は、例えば、不揮発性メモリ（フラッシュメモリ）等により構成されるが、一例であってこれに限られるものではなく、適宜任意に変更することができる。
【００２１】
ここで、画像データの構成の一例について図７を参照して説明する。
画像データは、例えば、図７に示すように、Ｅｘｉｆ（Exchangeable Image File Format）形式の画像ファイルから構成され、画像の実データ（例えば、表示パネル１０１ｂに表示される画像の表示内容に対応するデータ）に所定の圧縮形式（例えば、ＪＰＥＧ形式等）に従って圧縮処理が施されたイメージ圧縮データと、その他の複数の部分データ（セグメント）により構成される。
具体的には、図７に示す画像データは、イメージ圧縮データと、ＳＯＩ（Start OF Image）セグメント、ＡＰＰ（Application Data）１セグメント、ＤＱＴ（Default Quantization Table）セグメント、ＤＨＴ（Default Huffman Table）セグメント、ＳＯＳ（Start of Scan）セグメント、ＳＯＦ（Start of Frame）セグメント及びＥＯＩ（End Of Image）セグメント等の複数のセグメントとにより構成されている。また、イメージ圧縮データは、ＳＯＦ（Start of Frame）セグメントと、ＥＯＩ（End Of Image）セグメントとの間に設けられている。
【００２２】
ＡＰＰ１セグメントには、例えば、画像データのサムネイルや画像データ自身を説明する各種の情報、画像を撮像した撮像装置の撮像条件を示す各種の情報等を画像データに付帯させるためのＥｘｉｆタグ情報が含まれている。
画像の撮像条件としては、例えば、ＩＳＯ感度、ホワイトバランス、フォーカス方式等に関する各種パラメータが挙げられる。
具体的には、ＩＳＯ感度に関するパラメータとしては、撮像装置の撮像部が有する電子撮像部（例えば、ＣＣＤやＣＭＯＳ等）の感度を示す数値が挙げられる。また、ＩＳＯ感度の数値が大きい程、電子撮像部が所定周期で取り入れる光の量が多かったことを示している。
ホワイトバランスに関するパラメータとしては、画像撮像時の光源の色温度に関らず、画像の白色を正確に白く映し出すように補正するための値が挙げられる。撮像装置の撮像制御部（例えば、撮像装置２の撮像制御部２０３）は、ホワイトバランスの値に基づいて、画像撮像時の光源の色温度により生じる画像の発色の変化を補正する。
フォーカス方式に関するパラメータとしては、例えば、画像撮像時における撮像装置のレンズ部の絞り値、焦点距離を示す値、Ｆ値等、画像撮像時における撮像装置のピント合わせに関する値が挙げられる。撮像装置の撮像制御部（例えば、撮像装置２の撮像制御部２０３）は、画像撮像時に、これらの値に応じたＡＦ（自動合焦処理）を行う。
即ち、画像データは、Ｅｘｉｆタグ情報に含まれるＩＳＯ感度、ホワイトバランス、フォーカス方式等の撮像条件を示す各種パラメータにより、画像が撮像された際の撮像条件と対応付けられている。
【００２３】
なお、図７に示すＩＳＯ感度、ホワイトバランス、フォーカス方式等の撮像条件を示す各種パラメータは、Ｅｘｉｆのヘッダ部とメーカーノートとの間に設定されているが、メーカーノートに含まれるようにしても良い。また、撮像条件に含まれるパラメータとして、ＩＳＯ感度、ホワイトバランス、フォーカス方式を示しているが、一例であってこれに限られるものではなく、適宜任意に変更することができる。
【００２４】
画像処理部１０４は、予め決定された絵画調処理の内容に従って、画像（例えば、図８（ａ）に示す画像Ｐ１）を絵画調の画像（例えば、図８（ｂ）〜（ｄ）に示す絵画調の画像Ｐ２〜Ｐ４）に加工する絵画調処理を施す。
画像処理部１０４は、例えば、画像（例えば、図８（ａ）に示す画像Ｐ１）に対して、水彩絵の具で書いたような視覚的効果を有する画像Ｐ２に加工する「水彩画風」（図８（ｂ）参照）の絵画調処理や、油彩絵の具で書いたような視覚的効果を有する画像Ｐ３に加工する「油彩画風」（図８（ｃ）参照）の絵画調処理、大まかに写しとったような視覚的効果を有する画像Ｐ４に加工する「スケッチ風」（図８（ｄ）参照）の絵画調処理等、処理内容を異ならせて複数規定された絵画調処理のいずれかを施す。
ここで、画像を各種絵画調の画像に加工する技術は、例えば、既存の画像処理関連のソフトウェアを用いた処理と略同様の処理によって実現され、ＨＳＶ色空間における色相、彩度、明度などを変更したり各種のフィルタを用いることで行われるが、公知の技術であるので、詳細な説明を省略する。
また、画像処理としては、画像Ｐ１を絵画調の画像Ｐ２〜Ｐ４に加工する絵画調処理に限られるものではなく、例えば、輪郭強調処理、階調補正処理など適宜任意に変更することができる。
【００２５】
撮像条件取得部１０５は、画像処理部１０４により画像処理が施される画像（処理対象画像）の画像データと対応付けられている撮像条件を示す情報を取得する。
具体的には、撮像条件取得部１０５は、処理対象画像のＥｘｉｆタグ情報を読み出し、Ｅｘｉｆタグ情報に含まれるＩＳＯ感度、ホワイトバランス、フォーカス方式等の撮像条件を示す各種パラメータを取得する。
【００２６】
また、撮像条件取得部１０５は、画像処理が施される複数の画像の各々の撮像条件を取得し、これら複数の撮像条件に基づいて、当該画像処理に係る画像の撮像条件を代表する撮像条件を特定する。
具体的には、撮像条件取得部１０５は、画像処理の処理対象となる画像から撮像条件を取得して撮像条件記憶部１０６に記憶させるにあたり、当該処理対象画像に施される画像処理の内容に対応する撮像条件（例えば、ＩＳＯ感度等）が既に撮像条件記憶部１０６に記憶されているかを判定する。即ち、撮像条件取得部１０５は、処理対象画像に施される画像処理と同一内容の画像処理が施された画像データの撮像条件があるか否かを判定する。
処理対象画像に施される画像処理の内容に対応する撮像条件が既に撮像条件記憶部１０６に記憶されている場合、撮像条件取得部１０５は、処理対象画像と対応付けられた撮像条件の各種パラメータと、撮像条件記憶部１０６に記憶されている撮像条件の各種パラメータとを取得する。そして、撮像条件取得部１０５は、これらの各種パラメータに基づいて、処理対象画像に施される画像処理と同一内容の画像処理が施された画像の撮像条件を代表する撮像条件（代表撮像条件）を特定する。
撮像条件取得部１０５は、例えば、所定の演算処理により、撮像条件（例えば、ＩＳＯ感度等）を構成する各種パラメータの代表値（例えば、平均値、中央値、最頻値等）を算出し、算出された値を代表撮像条件（例えば、ＩＳＯ感度の代表値等）として特定する。また、撮像条件取得部１０５は、特定された代表撮像条件により、撮像条件記憶部１０６に記憶された撮像条件を更新する。
一方、処理対象画像に施される画像処理の内容に対応する撮像条件が撮像条件記憶部１０６に記憶されていない場合、撮像条件取得部１０５は、処理対象画像から取得された撮像条件を当該画像処理の内容に対応する撮像条件として撮像条件記憶部１０６に記憶させる。
【００２７】
なお、撮像条件取得部１０５は、画像処理部１０４により複数の処理対象画像に同一内容の画像処理が施される場合に、当該複数の処理対象画像のそれぞれと対応付けられた撮像条件の各種パラメータを取得し、これらの各種パラメータに基づいて、代表撮像条件を特定するようにしても良い。ここで、処理対象画像に施される画像処理の内容に対応する撮像条件が既に撮像条件記憶部１０６に記憶されている場合、撮像条件取得部１０５は、撮像条件記憶部１０６に記憶されている撮像条件の各種パラメータを更に取得して、取得された全ての撮像条件の各種パラメータに基づいて、代表撮像条件を特定するようにしても良い。
【００２８】
撮像条件記憶部１０６は、撮像条件取得部１０５により取得された撮像条件（図９参照）を記憶する。
撮像条件記憶部１０６は、例えば、不揮発性メモリ（フラッシュメモリ）等により構成されている。また、撮像条件記憶部１０６は、例えば、図９に示すようなデータベース形式により、各種画像処理の各々に応じた撮像条件を記憶する。なお、図９に示す撮像条件記憶部１０６の撮像条件は、データベース形式をとっているが、一例であってこれに限られるものではなく、適宜任意に変更することができる。
【００２９】
図９に示すように、撮像条件記憶部１０６に記憶された各々の撮像条件は、例えば、画像処理の内容（例えば、絵画調処理の種類）、ＩＳＯ感度、ホワイトバランス、フォーカス方式等に関する各種パラメータを有している。即ち、撮像条件記憶部１０６は、処理内容を異ならせて複数規定された複数の画像処理が施される各画像が撮像された際の撮像条件をそれぞれ記憶する。
【００３０】
なお、撮像条件記憶部１０６に記憶された撮像条件は、表示装置１と撮像装置２との間で行われる通信制御により、通信制御部１０８及び通信ネットワークＮを介して撮像装置２に対して送信される。そして、撮像装置２により受信された撮像条件の各種パラメータは、当該撮像装置２の撮像制御部２０３による撮像部２０２の撮像条件の調整制御に用いられる（詳細後述）。即ち、撮像条件記憶部１０６に記憶されている撮像条件は、撮像装置２による撮像の際に、当該撮像条件を撮像装置２に設定可能となるような情報である。
【００３１】
メモリ１０７は、例えば、ＤＲＡＭ等により構成され、中央制御部１１０等によって処理されるデータ等を一時記憶する。
【００３２】
通信制御部１０８は、例えば、通信アンテナや通信回路（図示略）等を備え、無線ＬＡＮ（Local Area Network）等の所定の通信規格により、通信ネットワークＮを介して接続された撮像装置２との間で情報の通信制御を行う。
具体的には、通信制御部１０８は、撮像装置２から通信ネットワークＮを介して送信された画像データを受信する。また、通信制御部１０８は、撮像条件記憶部１０６に記憶された撮像条件を撮像装置２へ送信する。
【００３３】
なお、通信ネットワークＮは、例えば、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００３４】
操作入力部１０９は、例えば、データの選択、送り操作等を行うための上下左右移動キーや各種機能キー等によって構成される操作部を備え、これらの操作部の操作に応じて所定の操作信号を中央制御部１１０に対して出力する。
例えば、操作入力部１０９は、ユーザによる操作部の操作に応じて、画像処理部１０４により施される画像処理（例えば、絵画調処理）の実施の有無の指示や、当該画像処理を実施する場合の画像処理の内容の指示、当該画像処理の処理対象画像の指示、表示部１０１に表示させる画像の指示等の操作信号を中央制御部１１０に対して出力する。
【００３５】
中央制御部１１０は、表示装置１の各部を制御するものである。具体的には、中央制御部１１０は、図示は省略するが、ＣＰＵ（Central Processing Unit）、ＲＡＭ（Random Access Memory）、ＲＯＭ（Read Only Memory）を備え、表示装置１用の各種処理プログラム（図示略）や操作入力部１０９により入力された操作信号等に従って各種の制御動作を行う。
【００３６】
次に、撮像装置２について図３を参照して説明する。
図３は、撮像装置２の概略構成を示すブロック図である。
図３に示すように、撮像装置２は、通信制御部２０１と、撮像部２０２と、撮像制御部２０３と、撮像条件記憶部２０４と、画像データ生成部２０５と、メモリ２０６と、画像処理部２０７と、表示部２０８と、記憶媒体制御部２０９と、操作入力部２１０と、中央制御部２１１とを備えている。
【００３７】
通信制御部２０１は、例えば、通信アンテナや通信回路（図示略）等を備え、無線ＬＡＮ（Local Area Network）等の所定の通信規格により、通信ネットワークＮを介して接続された表示装置１との間で情報の通信制御を行う。
具体的には、通信制御部２０１は、表示装置１から通信ネットワークＮを介して送信された撮像条件を受信することにより、撮像条件を取得する。即ち、通信制御部２０１は、表示装置１から、当該表示装置１の画像処理部１０４により画像処理が施される画像（処理対象画像）が撮像された際の撮像条件を取得する。
また、通信制御部２０１は、中央制御部２１１の制御下で、表示装置１から取得された撮像条件を撮像制御部２０３に対して出力する。
【００３８】
撮像部２０２は、撮像手段として、被写体を撮像して画像フレームを生成する。具体的には、撮像部２０２は、図示は省略するが、ズームレンズやフォーカスレンズ等の複数のレンズから構成されたレンズ部と、レンズ部を通過する光の量を調整する絞りと、ＣＣＤ（Charge Coupled Device）やＣＭＯＳ（Complementary Metal-oxide Semiconductor）等のイメージセンサから構成され、レンズ部の各種レンズを通過した光学像を二次元の画像信号に変換する電子撮像部を備えている。
また、撮像部２０２は、表示装置１の画像処理部１０４による画像処理（例えば、絵画調処理）の処理対象となる画像（例えば、図８（ａ）に示す画像Ｐ１）を撮像する。
【００３９】
撮像制御部２０３は、図示は省略するが、タイミング発生器、ドライバなどを備えている。そして、撮像制御部２０３は、タイミング発生器、ドライバにより電子撮像部を走査駆動して、所定周期毎に、レンズ部の各種レンズを通過した光学像を電子撮像部により二次元の画像信号に変換させ、当該電子撮像部の撮像領域から１画面分ずつ画像フレームを読み出して画像データ生成部２０５に出力させる。
【００４０】
また、撮像制御部２０３は、記憶制御部２０３ａを備えている。
記憶制御部２０３ａは、通信制御部２０１から出力され入力された撮像条件を撮像条件記憶部２０４に記憶させる。
撮像制御部２０３は、撮像部２０２による撮像後に表示装置１の画像処理部１０４により画像処理が施される予定の画像の撮像の際に、撮像制御部２０３は、ユーザによる操作入力部２１０の所定操作に基づいて指定された画像処理の内容に応じた撮像条件（例えば、ＩＳＯ感度、ホワイトバランス、フォーカス方式等）の各種パラメータを撮像条件記憶部２０４から読み出し、読み出された各種パラメータに基づいて撮像部２０２の撮像条件の調整制御を行う。
例えば、撮像制御部２０３は、表示部２０８により表示される所定のメニュー画面３００（図１０参照）に係るユーザによる操作入力部２１０の所定操作に基づいて、撮像部２０１により撮像される画像に対して施される予定の画像処理の内容が指定されると、撮像条件記憶部２０４に記憶されている撮像条件の中から、指定された画像処理の内容に応じた撮像条件のＩＳＯ感度、ホワイトバランス、フォーカス方式等の各種パラメータを読み出し、読み出された各種パラメータに基づいて撮像部２０２の撮像条件の調整制御を行う。例えば、撮像制御部２０３は、ＩＳＯ感度に応じたＡＥ（自動露出処理）を行ったり、ホワイトバランスに応じたＡＷＢ（自動ホワイトバランス）を行ったり、フォーカス方式に応じたＡＦ（自動合焦処理）を行う。
即ち、撮像制御部２０３は、撮像部２０２による撮像後に表示装置１の画像処理部１０４により画像処理が施される予定の画像の撮像の際に、表示装置１から取得された撮像条件を用いて、撮像部２０２による画像の撮像条件の調整制御を行う。
【００４１】
図１０に示す撮像装置２のメニュー画面３００は、各画面に含まれる複数の項目のいずれかが指定されると、指定された項目に関するより詳細な項目が表示される多階層構造を有している。
ここで、撮像後に画像処理が施される予定の画像を撮像する際の動作について説明する。
先ず、ユーザによる操作入力部２１０の所定操作に基づいてメニュー画面３００の表示指示が入力されると、表示部２０８の表示制御部２０８ａ（後述）は、メニュー画面３００の初期表示内容としてメインメニュー画面３０１を表示パネル２０８ｂに表示させる。続けて、ユーザによる操作入力部２１０の所定操作に基づいて、メインメニュー画面３０１の各種項目の中で「撮影設定」の項目が指定されると、表示制御部２０８ａは、撮影設定画面３０２を表示パネル２０８ｂに表示させる。以後、同様に、表示制御部２０８ａは、撮影設定画面３０２の各種項目の中で「撮影設定」の項目が指定されると、設定タイプ画面３０３を表示パネル２０８ｂに表示させ、設定タイプ画面３０３の各種項目の中で「画像処理設定」の項目が指定されると、画像処理設定画面３０４を表示パネル２０８ｂに表示させる。そして、ユーザによる操作入力部２１０の所定操作に基づいて、画像処理設定画面３０４に含まれる画像処理の内容に関する項目（例えば、「水彩画風」、「油彩画風」、「スケッチ風」等）の中から、撮像部２０１により撮像される画像に対して施される予定の画像処理の内容（例えば、「水彩画風」等）が指定されると、撮像制御部２０３は、撮像条件記憶部２０４に記憶されている撮像条件の中から、指定された画像処理の内容に応じた撮像条件（例えば、ＩＳＯ感度等）を読み出し、読み出された各種パラメータに基づいて撮像部２０２の撮像条件の調整制御を行う。
なお、図１０に示すメニュー画面３００や、画像処理の内容の指定方法は、一例であってこれに限られるものではなく、適宜任意に変更することができる。即ち、メニュー画面３００の内容は、上述した画像処理の内容の指定に関する複数の項目に限られず、撮像装置２の各種動作に関する複数の項目を含んでも良い。
【００４２】
撮像条件記憶部２０４は、通信制御部２０１により取得された撮像条件を記憶する。
撮像条件記憶部２０４は、例えば、不揮発性メモリ（フラッシュメモリ）等により構成されている。
撮像条件記憶部２０４は、画像処理の内容と撮像条件とを対応付けて記憶する。即ち、例えば、撮像条件記憶部２０４は、例えば、表示装置１の撮像条件記憶部１０６と同様のデータベース形式（図９参照）で撮像条件を記憶するが、一例であってこれに限られるものではなく、適宜任意に変更することができる。
【００４３】
画像データ生成部２０５は、電子撮像部から転送された画像信号に基づく画像フレームやその他の画像フレームのアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶ色空間の画像データ）を生成する。
また、カラープロセス回路から出力される輝度信号Ｙ及び色差信号Ｃｂ，Ｃｒは、図示しないＤＭＡコントローラを介して、バッファメモリとして使用されるメモリ２０６にＤＭＡ転送される。
【００４４】
メモリ２０６は、例えば、ＤＲＡＭ等により構成され、中央制御部２１１等によって処理されるデータ等を一時記憶する。
【００４５】
画像処理部２０７は、画像データ生成部２０５から出力されてメモリ２０６に記憶された画像データに対して種々の画像処理を施す。具体的には、画像処理部２０７は、所定の圧縮形式（例えば、ＪＰＥＧ形式等）で符号化する符号化部（図示略）等を備えている。符号化部は、画像データ生成部２０５から出力され、メモリ２０６に一次記憶されたＹＵＶデータを読み出し、所定の圧縮形式で符号化することにより画像データ（例えば、ＪＰＥＧ画像データ）を生成して記憶媒体制御部２０９へ出力する。記憶媒体制御部２０９は、画像処理部２０７から出力され入力された画像データを記憶媒体Ｍ２に記憶させる。
【００４６】
また、画像処理部２０７は、撮像部２０２により画像が撮像された際の撮像条件を取得し、その画像の撮像条件として画像データと対応付ける撮像条件対応付け部（図示略）を備えている。
具体的には、撮像条件対応付け部は、撮像部２０２により画像が撮像された際、撮像制御部２０３による撮像部２０２の撮像条件の調整制御に用いられた撮像条件（例えば、ＩＳＯ感度、ホワイトバランス、フォーカス方式等）の各種パラメータを取得する。そして、撮像条件付加部は、取得された撮像条件の各種パラメータを、撮像された画像に基づいて生成された画像データのＥｘｉｆタグ情報に設定する。
【００４７】
表示部２０８は、表示制御部２０８ａと、表示パネル２０８ｂとを備えている。
表示制御部２０８ａは、メモリ２０６に一時的に記憶されている表示用の画像データを読み出して表示パネル２０８ｂに表示させる制御を行う。
具体的には、表示制御部２０８ａは、ＶＲＡＭ、ＶＲＡＭコントローラ、デジタルビデオエンコーダなどを備えている。そして、デジタルビデオエンコーダは、中央制御部２１１の制御下にてメモリ２０６から読み出されてＶＲＡＭ（図示略）に記憶されている輝度信号Ｙ及び色差信号Ｃｂ，Ｃｒを、ＶＲＡＭコントローラを介してＶＲＡＭから定期的に読み出し、これらのデータを元にビデオ信号を発生して表示パネル２０８ｂに対して出力する。
【００４８】
表示パネル２０８ｂは、例えば、液晶表示装置であり、表示制御部２０８ａからのビデオ信号に基づいて電子撮像部により撮像された画像などを表示画面に表示する。具体的には、表示パネル２０８ｂは、静止画撮像モードや動画撮像モードにて、撮像部２０２による被写体の撮像により生成された複数の画像フレームを所定のフレームレートで逐次更新しながらライブビュー画像を表示する。また、表示パネル２０８ｂは、記憶媒体Ｍ２に記憶されている複数の画像データの中で、ユーザによる操作入力部２１０の所定操作に基づいて表示指示された画像データを表示する。
【００４９】
記憶媒体制御部２０９は、記憶媒体Ｍ２が着脱自在に構成され、装着された記憶媒体Ｍ２からのデータの読み出しや記憶媒体Ｍ２に対するデータの書き込みを制御する。
即ち、記憶媒体制御部２０９は、例えば、画像処理部２０７の符号化部（図示略）により所定の圧縮形式（例えば、ＪＰＥＧ形式等）で符号化された画像データ等を記憶媒体Ｍ２に記憶させる。
なお、記憶媒体Ｍ２は、例えば、不揮発性メモリ（フラッシュメモリ）等により構成されるが、一例であってこれに限られるものではなく、適宜任意に変更することができる。
【００５０】
操作入力部２１０は、撮像装置２の所定操作を行うためのものである。具体的には、操作入力部２１０は、被写体の撮影指示に係るシャッタボタン、撮像モードや機能等の選択指示に係る選択決定用ボタン、ズーム量の調整指示に係るズームボタン等を備え（何れも図示略）、これらのボタンの操作に応じて所定の操作信号を中央制御部２１１に対して出力する。
【００５１】
中央制御部２１１は、撮像装置２の各部を制御するものである。具体的には、中央制御部２１１は、図示は省略するが、ＣＰＵ、ＲＡＭ、ＲＯＭを備え、撮像装置２用の各種処理プログラム（図示略）や操作入力部２１０により入力された操作信号等に従って各種の制御動作を行う。
【００５２】
次に、撮像装置の撮像条件制御システム１００による画像表示処理の流れを、図４及び図５のフローチャートを参照して説明する。
画像表示処理とは、表示装置１が、画像取得部１０２により取得された画像（例えば、図８（ａ）に示す画像Ｐ１）や、画像処理部１０４により画像処理が施された画像（例えば、図８（ｂ）〜（ｄ）に示す絵画調の画像Ｐ２〜Ｐ４）を表示する処理である。
なお、以下の画像表示処理にあっては、撮像装置２によって予め所定の撮像条件で撮像された画像データが少なくとも一つ記憶媒体Ｍ２に記憶されているものとする。
【００５３】
撮像装置２の中央制御部２１１は、表示装置１に対して所定の画像データを出力するための接続指示の操作信号がユーザによる操作入力部２１０の所定操作に基づいて入力されると（ステップＳ１；ＹＥＳ）、表示装置１に対する接続要求を通信制御部２０１により通信ネットワークＮを介して表示装置１に送信させる。その後、表示装置１の通信制御部１０８による当該接続要求に対する応答信号の受信及び通信の開始を示す通信開始信号の送信がなされ、通信ネットワークＮを介した表示装置１と撮像装置２との間の接続が確立すると、中央制御部２１１は、記憶媒体Ｍ２に記憶された画像データを読み出し、読み出された画像データを通信制御部２０１により通信ネットワークＮを介して表示装置１に対して送信させる（ステップＳ２）。
なお、表示装置１に対して送信される画像データは、記憶媒体Ｍ２に記憶されている画像データのうち、ユーザによる操作入力部２１０の所定操作に基づいて指定された所定数の画像データであっても良いし、未だ表示装置１に対して送信されていない全ての画像データであっても良い。
【００５４】
表示装置１の通信制御部１０８は、撮像装置２の通信制御部２０１から送信された画像データを受信する（ステップＳ３）。通信制御部１０８は、受信された画像データを記憶媒体制御部１０３に出力し、記憶媒体制御部１０３は、入力された画像データを記憶媒体Ｍ１に記憶させる（ステップＳ４）。
【００５５】
表示装置１の中央制御部１１０は、表示対象となる画像に対して画像処理部１０４による画像処理（例えば、絵画調処理）を実施する指示がユーザによる操作入力部１０９の所定操作に基づいて入力されているか否かを判定する（ステップＳ５）。ここで、画像処理を実施する指示が入力されていると判定されると（ステップＳ５；ＹＥＳ）、画像処理部１０４は、画像処理（図５参照）を行う（ステップＳ６）。
【００５６】
ここで、画像処理部１０４による画像処理について、図５のフローチャートを参照して説明する。
まず、画像処理部１０４は、ユーザによる操作入力部１０９の所定操作に基づいて決定された、画像処理の内容を読み出す（ステップＳ１１）。ステップＳ１１において、画像処理部１０４は、例えば、絵画調処理の種類等を示す情報を画像処理の内容として読み出す。
【００５７】
次に、ユーザによる操作入力部１０９の所定操作に基づいて決定された、画像処理の処理対象となる画像（例えば、図８（ａ）に示す画像Ｐ１）が画像取得部１０２により読み出されると（ステップＳ１２）、撮像条件取得部１０５は、読み出された処理対象画像のＥｘｉｆタグ情報から撮像条件の各種パラメータを取得する（ステップＳ１３）。
【００５８】
次に、撮像条件取得部１０５は、処理対象画像に施される画像処理に対応する撮像条件が既に撮像条件記憶部１０６に記憶されているかを判定する（ステップＳ１４）。ここで、処理対象画像に施される画像処理に対応する撮像条件が撮像条件記憶部１０６に記憶されていないと判定されると（ステップＳ１４；ＮＯ）、撮像条件取得部１０５は、処理対象画像から取得された撮像条件を当該画像処理と対応付けて撮像条件記憶部１０６に記憶させる（ステップＳ１５）。
【００５９】
一方、ステップＳ１４にて、処理対象画像に施される画像処理に対応する撮像条件が既に撮像条件記憶部１０６に記憶されていると判定されると（ステップＳ１４；ＹＥＳ）、撮像条件取得部１０５は、撮像条件記憶部１０６に記憶されている当該画像処理に対応する撮像条件の各種パラメータを取得する（ステップＳ１６）。そして、撮像条件取得部１０５は、処理対象画像から取得された撮像条件の各種パラメータと、撮像条件記憶部１０６に記憶されている当該画像処理に対応する撮像条件の各種パラメータとに基づいて、処理対象画像に施される画像処理が施される画像データの撮像条件の代表撮像条件を特定する（ステップＳ１７）。そして、撮像条件取得部１０５は、特定された代表撮像条件により、撮像条件記憶部１０６に記憶された撮像条件を更新する（ステップＳ１８）。
【００６０】
ステップＳ１５又はステップＳ１８の処理後、画像処理部１０４は、ステップＳ１１で読み出された画像処理の内容に応じた画像処理を処理対象画像に施す（ステップＳ１９）。
その後、中央制御部１１０は、全ての処理対象画像に対して画像処理が施されたか判定する（ステップＳ２０）。ここで、全ての処理対象画像に対して画像処理が施されていないと判定されると（ステップＳ２０；ＮＯ）、中央制御部１１０は、処理をステップＳ１２に移行して、まだ画像処理が施されていない画像に対して上記と同様の処理を行う。一方、全ての処理対象画像に対して画像処理が施されていると判定されると（ステップＳ２０；ＹＥＳ）、中央制御部１１０は、画像処理を終了する。
【００６１】
図４に戻り、表示制御部１０１ａは、表示パネル１０１ｂに画像を表示させる（ステップＳ７）。具体的には、ステップＳ５にて、画像処理を実施する指示が入力されて（ステップＳ５；ＹＥＳ）、ステップＳ６の画像処理が行われた場合、表示制御部１０１ａは、画像処理が施された画像の画像データを取得して、当該画像（例えば、図８（ｂ）〜（ｄ）に示す絵画調の画像Ｐ２〜Ｐ４）を表示パネル１０１ｂに表示させる。一方、ステップＳ５にて、画像処理を実施する指示が入力されずに画像処理が行われなかった場合（ステップＳ５；ＮＯ）、表示制御部１０１ａは、表示対象となる画像、即ち、画像処理が施されていない画像の画像データを取得して、当該画像を表示パネル１０１ｂに表示させる。
ステップＳ７の処理により、中央制御部１１０は、画像表示処理を終了する。
【００６２】
次に、撮像装置の撮像条件制御システム１００による撮像条件取得処理の流れについて、図６のフローチャートを参照して説明する。
撮像条件取得処理とは、撮像装置２が、表示装置１から画像処理の処理対象となる画像が撮像された際の撮像条件を取得する処理である。
【００６３】
撮像装置２の中央制御部２１１は、表示装置１から撮像条件を取得する要求指示がユーザによる操作入力部２１０の所定操作に基づいて入力されると（ステップＳ３１；ＹＥＳ）、表示装置１に対しての接続要求を通信制御部２０１により通信ネットワークＮを介して表示装置１に送信させる。その後、通信制御部２０１による当該接続要求に対する応答信号の受信及び通信の開始を示す通信開始信号の送信がなされ、通信ネットワークＮを介した表示装置１と撮像装置２との間の接続が確立すると、中央制御部２１１は、表示装置１から撮像条件を取得するための要求（撮像条件要求）を通信制御部２０１により通信ネットワークＮを介して表示装置１に送信させる（ステップＳ３２）。
【００６４】
表示装置１の通信制御部１０８により撮像装置２の通信制御部２０１から送信された接続要求が受信されると（ステップＳ３３）、表示装置１の中央制御部１１０は、撮像条件記憶部１０６に記憶された撮像条件を読み出し、読み出された撮像条件を通信制御部１０８により通信ネットワークＮを介して撮像装置２へ送信させる（ステップＳ３４）。
【００６５】
撮像装置２の通信制御部２０１は、表示装置１の通信制御部１０８から送信された撮像条件を受信し（ステップＳ３５）、中央制御部２１１の制御下で、受信された撮像条件を撮像制御部２０３に対して出力する。通信制御部２０１から出力された撮像条件が撮像制御部２０３に入力されると、記憶制御部２０３ａが、入力された撮像条件を撮像条件記憶部２０４に記憶させる（ステップＳ３６）。
ステップＳ３６の処理により、中央制御部２１１は、撮像条件取得処理を終了する。
これにより、撮像部２０２による撮像後に表示装置１の画像処理部１０４により画像処理が施される予定の画像の撮像の際に、撮像制御部２０３は、ユーザによる操作入力部２１０の所定操作に基づいて指定された画像処理の内容に応じた撮像条件（例えば、ＩＳＯ感度、ホワイトバランス、フォーカス方式等）の各種パラメータを撮像条件記憶部２０４から読み出し、読み出された各種パラメータに基づいて撮像部２０２の撮像条件の調整制御を行うことが可能となる。
【００６６】
以上のように、本実施形態の撮像装置の撮像条件制御システム１００によれば、表示装置１は、画像処理部１０４により画像処理が施される画像が撮像された際の撮像条件を取得する。そして、撮像装置２は、表示装置１の撮像条件記憶部１０６に記憶された撮像条件を取得する。具体的には、表示装置１の通信部１０８は、撮像条件記憶部１０６に記憶された撮像条件を撮像装置２に対して送信し、撮像装置２の通信制御部２０１は、表示装置１の通信制御部１０８から送信された撮像条件を受信して取得する。
その後、撮像装置２の撮像制御部２０３は、取得した撮像条件に従って撮像部２０２により画像を撮像可能となるように所定の処理を行う。
従って、ユーザは、撮像された画像に施される予定の所定の画像処理に応じた各種の撮像条件を覚えておかなくとも、当該所定の画像処理に応じた各種の撮像条件の調整を簡便に行うことができる。即ち、記憶制御部２０３ａは、撮像部２０２により撮像された画像に施される画像処理の内容に応じた撮像条件を画像の撮像の際に読出可能となるように、撮像条件記憶部２０４に撮像条件を記憶させるので、撮像制御部２０３は、撮像条件記憶部２０４に記憶されている所定の画像処理の内容に応じた撮像条件（例えば、ＩＳＯ感度、ホワイトバランス、フォーカス方式等）の各種パラメータを読み出し、読み出された各種パラメータに基づいて撮像部２０２の撮像条件の調整制御を行うことができる。これにより、ユーザは、撮像された画像に施される予定の所定の画像処理に応じた各種の撮像条件を覚えておく必要がなくなる。
また、ユーザは、撮像された画像に施される予定の所定の画像処理に応じた各種の撮像条件を覚えておく必要がなくなるため、各種の撮像条件の調整を思い出しながら行う必要もなくなり、当該撮像条件の調整に余分な時間を費やすことがなくなる。
このように、画像に施される予定の所定の画像処理に応じた各種の撮像条件の調整をより簡便に行うことができる。
【００６７】
また、撮像条件記憶部１０６は、画像処理部１０４による処理内容を異ならせて複数規定されている画像処理の各々が施される画像の撮像条件をそれぞれ記憶するので、撮像装置２は、撮像条件記憶部１０６から複数の画像処理に対応する画像の撮像条件をそれぞれ取得することができる。
さらに、撮像条件記憶部２０４が、複数の画像処理に対応する画像の撮像条件をそれぞれ記憶しておくことにより、撮像部２０２による撮像後に所定の画像処理が施される予定の画像の撮像の際に、撮像制御部２０３は、複数の画像処理の中でユーザにより指定された所定の画像処理の内容に応じた撮像条件の各種パラメータを撮像条件記憶部２０４から読み出し、読み出された各種パラメータに基づいて撮像部２０２の撮像条件の調整制御を行うことができる。
【００６８】
また、撮像条件取得部１０５は、画像処理が施される複数の画像の各々の撮像条件を取得し、これら複数の撮像条件に基づいて、当該画像処理に係る画像の撮像条件を代表する撮像条件を特定する。即ち、撮像条件取得部１０５は、例えば、処理対象画像に施される画像処理に対応する撮像条件が既に撮像条件記憶部１０６に記憶されている場合、撮像条件取得部１０５は、撮像条件記憶部１０６に記憶されている撮像条件と、処理対象画像から取得された撮像条件とを取得する。そして、撮像条件取得部１０５は、これらの撮像条件に基づいて、処理対象画像に施される画像処理が施される画像データの撮像条件を代表する撮像条件（代表撮像条件）を特定し、特定された代表撮像条件を撮像条件記憶部１０６に記憶させる。
ここで、代表撮像条件の特定前に、既に撮像条件記憶部１０６に記憶されている撮像条件は、処理対象画像に施される画像処理と同一内容の画像処理が施された画像データの撮像条件に基づくものである。
従って、撮像条件取得部１０５は、複数の画像の撮像条件から得られたより確かな実績に基づく撮像条件を代表撮像条件として取得することができ、撮像装置２は、当該撮像条件に従った調整制御により、撮像後に表示装置１の画像処理部１０４により画像処理が施される予定の画像の撮像をより好適に行うことができる。
【００６９】
また、撮像装置２により撮像された画像データは、当該画像データが撮像された際の撮像条件と対応付けられているので、当該画像データが表示装置１に送信されることにより、撮像条件取得部１０５は、画像処理部１０４により画像処理が施される画像の撮像条件を簡便に取得することができる。
【００７０】
なお、本発明は、上記の各実施形態に限定されることなく、本発明の趣旨を逸脱しない範囲において、種々の改良並びに設計の変更を行っても良い。
例えば、上記実施形態にあっては、撮像制御部２０３は、取得した撮像条件に従って画像を撮像可能となるような所定の処理として、撮像条件を撮像部２０２による撮像の際に読出可能となるように撮像条件記憶部２０４に記憶させるようにしたが、前記所定の処理は一例であってこれに限られるものではなく、適宜任意に変更可能である。例えば、撮像制御部２０３は、図１１に示す変形例のように、通信制御部２０１により取得された撮像条件に従って撮像部２０２の撮像条件を調整するように構成しても良い。
【００７１】
以下、図１１を参照して、本発明の実施形態の変形例について説明する。上記実施形態と同様の構成については、同じ符号を付して説明を省略する。
変形例における撮像装置２Ａの撮像制御部２０３は、調整部２０３ｂを備えている。
調整部２０３ｂは、表示装置１から通信ネットワークＮを介して送信され通信制御部２０１により受信（取得）された所定の画像処理に対応する撮像条件に従って撮像部２０２の撮像条件を調整する。
具体的には、通信制御部２０１から出力された所定の画像処理に対応する撮像条件が撮像制御部２０３に入力されると、調整部２０３ｂは、入力された撮像条件（例えば、ＩＳＯ感度、ホワイトバランス、フォーカス方式等）の各種パラメータを取得し、当該各種パラメータに基づいた撮像条件の調整制御を自動的に行う。即ち、調整部２０３は、上記実施形態の撮像条件取得処理（図６参照）におけるステップＳ３６の処理に代えて、入力された撮像条件の各種パラメータに基づいた撮像条件の調整制御を自動的に行う。
【００７２】
以上、変形例によれば、通信制御部２０１から出力されて入力された撮像条件に基づいて、撮像制御部２０３の調整部２０３ｂが撮像条件の調整制御を行うので、画像に施される予定の所定の画像処理に応じた各種の撮像条件の調整をより簡便に行うことができる。即ち、調整部２０３ｂが、通信制御部２０１により受信された撮像条件（例えば、ＩＳＯ感度、ホワイトバランス、フォーカス方式等）の各種パラメータを取得し、当該各種パラメータに基づいて撮像部２０２の撮像条件の調整制御を自動的に行うので、ユーザは、撮像された画像に施される予定の所定の画像処理に応じた各種の撮像条件を覚えておく必要がなくなる。また、ユーザは、撮像された画像に施される予定の所定の画像処理に応じた各種の撮像条件を覚えておく必要がなくなるため、各種の撮像条件の調整を思い出しながら行う必要もなくなり、当該撮像条件の調整に余分な時間を費やすことがなくなる。
【００７３】
また、撮像装置の撮像条件制御システム１００は、複数の撮像装置を備えることもできる。この場合、撮像装置の撮像条件制御システム１００は、一の表示装置１と、複数の撮像装置とを所定の通信ネットワークＮを介して各種情報を送受信可能に接続する。また、表示装置１の画像取得部１０２は、複数の撮像装置のそれぞれから画像を取得する。また、撮像条件取得部１０５は、画像処理部１０４により画像処理が施される画像の撮像条件を取得して撮像条件記憶部１０６に記憶させるにあたり、複数の撮像装置のそれぞれについて、撮像条件を個別に記憶させる。そして、撮像装置から撮像条件の取得の要求を受信した場合、表示装置１の中央制御部１１０は、撮像条件の取得の要求があった撮像装置の撮像条件を撮像条件記憶部１０６から読み出して通信制御部１０８に送信させる。
これにより、ユーザが複数の撮像装置を利用する場合であっても、一の表示装置により当該複数の撮像装置の撮像条件を一括して取り扱うことができ、複数の撮像装置の各々の撮像条件の設定作業を個別に意識する必要がなく、画像に施される予定の所定の画像処理に応じた各種の撮像条件の調整をより簡便に行うことができる。
【００７４】
また、上記実施形態の画像データとして、ＪＰＥＧ画像データを例示したが、画像の圧縮形式は一例であってこれに限られるものではなく、その他の圧縮形式に適宜任意に変更することができる。
また、Ｅｘｉｆタグ情報を用いて、画像データと、当該画像データが撮像された際の撮像条件とを対応付けるようにしたが、画像データと撮像条件との対応付けの方法は一例であってこれに限られるものではなく、適宜任意に変更することができる。例えば、画像データと、当該画像データが撮像された際の撮像条件とを対応付けるためのデータファイルを別途設けても良い。
【００７５】
また、上記実施形態では、表示装置１と撮像装置２は通信ネットワークＮを介して接続されているが、接続方式は一例であってこれに限られるものではなく、適宜任意に変更することができる。例えば、所定のバスインタフェース（例えば、ＵＳＢ（Universal Serial Bus）等）や、専用に設けられた接続装置等を介して表示装置１と撮像装置２とを接続するようにしても良い。
【００７６】
また、表示装置１と撮像装置２との間で行われるデータの入出力は、表示装置１と撮像装置２との接続を介さなくともよく、適宜任意に変更することができる。
例えば、画像データや当該画像データの撮像条件を記憶させた記憶媒体（例えば、記憶媒体Ｍ２）を表示装置１の記憶媒体制御部１０３に接続させ、記憶媒体制御部１０３が当該記憶媒体から画像データや当該画像データの撮像条件を読み出し、画像取得部１０２や撮像条件取得部１０５が画像データや当該画像データの撮像条件を取得するようにしても良い。また、表示装置１の撮像条件取得部１０５により取得された撮像条件を記憶させた記憶媒体（例えば、記憶媒体Ｍ１）を撮像装置２の記憶媒体制御部２０９に接続させ、記憶媒体制御部２０９が当該記憶媒体から撮像条件を読み出し、撮像制御部２０３が撮像条件を取得するようにしても良い。
【００７７】
また、上記実施形態では、撮像条件取得部１０５は、例えば、複数の画像の撮像条件の各種パラメータの代表値（例えば、平均値、中央値、最頻値等）を代表撮像条件として特定しているが、代表撮像条件の特定方法は一例であってこれに限られるものではなく、適宜任意に変更することができる。
例えば、撮像条件取得部１０５は、画像処理部１０３により所定の画像処理が施された複数の画像（例えば、表示部１０１に表示されたサムネイル画像等）の中で、ユーザによる操作入力部１０９の所定操作に基づいて指示された特定の画像（例えば、お気に入りの画像等）の撮像条件（例えば、ＩＳＯ感度等）を当該所定の画像処理の代表撮像条件として特定しても良い。
【００７８】
加えて、上記実施形態にあっては、表示装置１の画像取得手段、第１処理手段、第１条件取得手段及び出力手段の機能を、中央制御部１１０のＣＰＵの制御下にて、画像取得部１０２、画像処理部１０４、撮像条件取得部１０５及び撮像条件記憶部１０６が駆動することにより実現される構成としたが、これに限られるものではなく、ＣＰＵによって所定のプログラム等が実行されることにより実現される構成としても良い。
即ち、プログラムを記憶するプログラムメモリ（図示略）に、画像取得ルーチン、第１処理ルーチン、第１条件取得ルーチン及び出力ルーチンを含むプログラムを記憶しておく。そして、画像取得ルーチンによりＣＰＵを、撮像された画像を取得する手段として機能させるようにしても良い。また、第１処理ルーチンによりＣＰＵを、取得された画像に対して所定の画像処理を施す手段として機能させるようにしても良い。また、第１条件取得ルーチンによりＣＰＵを、所定の画像処理が施された画像が撮像された際の撮像条件を示す情報を取得する手段として機能させるようにしても良い。また、出力ルーチンによりＣＰＵを、撮像装置に対して、前記第１条件取得手段により取得された前記撮像条件を示す情報を、当該撮像装置による撮像の際に当該撮像条件を設定可能となるような情報として出力する手段として機能させるようにしても良い。
【００７９】
同様に、表示装置１の記憶手段についても、ＣＰＵによって所定のプログラム等が実行されることにより実現される構成としても良い。
【００８０】
また、上記実施形態にあっては、撮像装置２の第２条件取得手段及び第２処理手段の機能を、中央制御部２１１のＣＰＵの制御下にて、通信制御部２０１及び撮像制御部２０３が駆動することにより実現される構成としたが、これに限られるものではなく、ＣＰＵによって所定のプログラム等が実行されることにより実現される構成としても良い。
即ち、プログラムを記憶するプログラムメモリ（図示略）に、第２条件取得ルーチン及び第２処理ルーチンを含むプログラムを記憶しておく。そして、第２条件取得ルーチンによりＣＰＵを、画像処理装置により所定の画像処理が施される画像が撮像された際の撮像条件を示す情報を取得する手段として機能させるようにしても良い。また、第２処理ルーチンによりＣＰＵを、撮像の際に、取得された前記撮像条件を示す情報に基づいて、前記撮像条件を設定可能となるように所定の処理を行う手段として機能させるようにしても良い。
【００８１】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【００８２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像された画像を取得する画像取得手段と、この画像取得手段により取得された画像に対して所定の画像処理を施す第１処理手段と、この第１処理手段により前記所定の画像処理が施された画像が撮像された際の撮像条件を示す情報を取得する第１条件取得手段と、撮像装置に対して、前記第１条件取得手段により取得された前記撮像条件を示す情報を、当該撮像装置による撮像の際に当該撮像条件を設定可能となるような情報として出力する出力手段と、を備えることを特徴とする画像処理装置。
＜請求項２＞
撮像された画像を取得する画像取得手段と、この画像取得手段により取得された画像に対して所定の画像処理を施す第１処理手段と、この第１処理手段により前記所定の画像処理が施された画像が撮像された際の撮像条件を示す情報を取得する第１条件取得手段と、
この第１条件取得手段により取得された前記撮像条件を示す情報を、当該撮像装置による撮像の際に当該撮像条件を設定可能となるような情報として記憶する記憶手段を備えることを特徴とする画像処理装置。
＜請求項３＞
前記所定の画像処理は、処理内容を異ならせて複数規定され、前記記憶手段は、更に、前記第１条件取得手段により取得された前記複数の画像処理が施される各画像が撮像された際の撮像条件を示す情報をそれぞれ記憶することを特徴とする請求項２に記載の画像処理装置。
＜請求項４＞
前記第１条件取得手段は、更に、前記所定の画像処理が施される複数の画像が撮像された際の撮像条件をそれぞれ取得し、これら複数の撮像条件に基づいて、当該所定の画像処理に係る撮像条件を特定することを特徴とする請求項１〜３の何れか一項に記載の画像処理装置。
＜請求項５＞
前記第１条件取得手段は、更に、複数の撮像装置により撮像され前記第１処理手段により前記所定の画像処理が施される複数の画像が撮像された際の撮像条件を示す情報をそれぞれ取得し、前記出力手段は、更に、前記第１条件取得手段により取得された前記複数の撮像条件を示す情報を各撮像装置毎にそれぞれ出力することを特徴とする請求項１又は４に記載の画像処理装置。
＜請求項６＞
撮像装置と、撮像された画像に対して所定の画像処理を施す画像処理装置とを備える撮像条件制御システムの撮像装置であって、前記画像処理装置により所定の画像処理が施される画像が撮像された際の撮像条件を示す情報を取得する第２条件取得手段と、前記撮像手段による撮像の際に、この第２条件取得手段により取得された前記撮像条件を示す情報に基づいて、前記撮像条件を設定可能となるように所定の処理を行う第２処理手段と、を備えることを特徴とする撮像装置。
＜請求項７＞
前記第２処理手段は、前記第２条件取得手段により取得された前記撮像条件を示す情報を記憶手段に記憶させる記憶制御手段を有することを特徴とする請求項６に記載の撮像装置。
＜請求項８＞
前記所定の画像処理は、処理内容を異ならせて複数規定され、前記第２条件取得手段は、更に、前記複数の画像処理が施される各画像が撮像された際の撮像条件を示す情報をそれぞれ取得し、前記第２処理手段は、更に、前記第２条件取得手段により取得された複数の前記撮像条件を示す情報に基づいて、前記複数の画像処理が施される各画像が撮像された際の撮像条件を、前記撮像手段による撮像の際に設定可能となるように前記所定の処理を各画像処理毎に行うことを特徴とする請求項６又は７に記載の撮像装置。
＜請求項９＞
画像処理装置と、撮像装置とを備える当該撮像装置の撮像条件制御システムであって、
前記画像処理装置は、撮像された画像を取得する画像取得手段と、この画像取得手段により取得された画像に対して所定の画像処理を施す第１処理手段と、この第１処理手段により前記所定の画像処理が施された画像が撮像された際の撮像条件を示す情報を取得する第１条件取得手段と、を備え、前記撮像装置は、前記第１条件取得手段によって取得された前記撮像条件を示す情報を取得する第２条件取得手段と、この第２条件取得手段により取得された前記撮像条件を示す情報に基づいて、当該撮像条件を設定可能となるように所定の処理を行う第２処理手段と、を備えることを特徴とする撮像装置の撮像条件制御システム。
＜請求項１０＞
コンピュータを、撮像された画像を取得する手段、取得された画像に対して所定の画像処理を施す手段、前記所定の画像処理が施された画像が撮像された際の撮像条件を示す情報を取得する手段、撮像装置に対して、前記第１条件取得手段により取得された前記撮像条件を示す情報を、当該撮像装置による撮像の際に当該撮像条件を設定可能となるような情報として出力する手段、として機能させることを特徴とするプログラム。
＜請求項１１＞
撮像装置のコンピュータを、画像処理装置により所定の画像処理が施される画像が撮像された際の撮像条件を示す情報を取得する手段、撮像の際に、取得された前記撮像条件を示す情報に基づいて、前記撮像条件を設定可能となるように所定の処理を行う手段、として機能させることを特徴とするプログラム。
【符号の説明】
【００８３】
１００  撮像条件制御システム
１      表示装置
１０１  表示部
１０２  画像取得部
１０４  画像処理部
１０５  撮像条件取得部
１０６  撮像条件記憶部
１０８  通信制御部
２      撮像装置
２０１  通信制御部
２０２  撮像部
２０３  撮像制御部
２０４  撮像条件記憶部
２１０  操作入力部
【図１】
2012178751.tif 000003
【図２】
2012178751.tif 000004
【図３】
2012178751.tif 000005
【図４】
2012178751.tif 000006
【図５】
2012178751.tif 000007
【図６】
2012178751.tif 000008
【図７】
2012178751.tif 000009
【図９】
2012178751.tif 000010
【図１０】
2012178751.tif 000011
【図１１】
2012178751.tif 000012
【図８】
2012178751.tif 000013